(57)【特許請求の範囲】
【請求項１】
搬送コンベアと、
表面に予め受取人住所氏名からなる第１受取人データおよび第１バーコードデータが表示された郵便物を搬送コンベアへ供給する封筒供給装置と、
搬送コンベア上の郵便物表面に設けられた第１受取人データおよび第１バーコードデータを各々読み取るイメージ入力装置および第１バーコードリーダと、
ラベルを供給するラベル供給装置と、
郵便物配達証を含む第２受取人データおよび第２バーコードデータをラベルに印字する印字装置と、
第１バーコードリーダからの情報により予め内蔵された受取人データベースを検索して得られた受取人検索データ、あるいは受取人検索データがない場合はイメージ入力装置からの情報に基づいて、印字装置を駆動して第２受取人データおよび第２バーコードデータをラベルに印字する制御装置と、
印字装置によって印字されたラベルを搬送コンベア上の郵便物の裏面に貼付するラベル貼付装置と、
ラベル貼付装置の下流側に設けられ、ラベルの第２バーコードデータを読み取る第２バーコードリーダとを備え、
第１バーコードリーダからの第１バーコードデータと第２バーコードリーダからの第２バーコードデータが制御装置によりマッチングされ、制御装置はマッチングの結果、間違いがなければ搬送コンベア上の郵便物を搬出集積装置上に導き、間違いがあれば搬送コンベア上の郵便物をリジェクトスタッカに排出することを特徴とするプリンティングラベル装置。
【請求項２】
前記制御装置に、前記イメージ入力装置により得られた第１受取人データと、第１バーコードリーダにより得られた第１バーコードリーダの情報により予め内蔵された受取人データベースを検索して得られた受取人検索データのうち、いずれか一方に基づいて受領証を作成する受領証作成装置が接続されていることを特徴とする請求項１に記載のプリンティングラベラ装置。
【発明の詳細な説明】
【０００１】
【発明の属する技術分野】
本発明は書留郵便封筒等の書類に表示された第１バーコードデータ及び配達先等の第１受取人データに基づいて、配達証等の第２受取人データが印字されたラベルを作製し、当該ラベルを書留郵便封筒等に貼付するプリンティングラベラ装置に関する。
【０００２】
【従来の技術】
一般に郵便法によれば、書留郵便の取扱いにおいては、書留郵便物（書留封筒）の引受から配達に至るまでの記録を行い、もし、配達の途中において書留郵便物が忘失又はき損した場合には、申出のあった損害賠償額の全部又は一部を賠償することとされている。
【０００３】
このため、書留郵便では、引受の際は差出人に書留郵便物の受領証を交付し、運送するときは、その授受を記録し、受取人に配達するときは受領の証印を受けることになっている。そしてこのような記録は、簡易書留にも準用されている。
【０００４】
また、平成３年からは、書留郵便の追跡を容易にするために、書留郵便物にバーコードを付する制度が採用され、書留郵便物の種別、地域コード、区分コード、連続番号等がバーコードとして記録されるようになった。
【０００５】
この場合、区分コードとは、大口利用者等のコードであり、郵政省から番号が割り振られている。大口利用者はこのコードを使用し、書留郵便物を差し出す前に、バーコードによる書留コードの事前表示（バーコードの印刷）が求められている。
【０００６】
また、平成７年７月１９日からは、書留郵便物配達証及び同原符を作成して差し出した場合、あるいはそれらを封筒に貼付して差し出した場合には、郵便料金の減額がされる制度が採用され、大口利用者にとっては、この制度を有効に使うことが必要になった。
【０００７】
従来、このような配達証、原符の貼り付けは、郵便業務での手作業によってなされており、多大の人手と手間を要していたのが実情である。
【０００８】
このような場合、配達証、原符等の第２受取人データを書留郵便物の第１受取人データから作製するとともに、この貼り付けを人手によらずシステム化された装置により効率的に行うことができれば、人手作業を全自動化することにより作業能率の向上と作業精度の完全をはかることができ、配達ミスの防止が可能となる。
【０００９】
【発明が解決しようとする課題】
他方、同一規格の郵便物を連続帳票から作成する印書の作成および記録に関して、種々の装置が開発されている。例えば、特開昭５２−６９２５５号公報では、カード状記録体と印書との一体物の作成方法の発明が記載されている。
【００１０】
しかしながら、同公報に記載されている発明は、磁気カードに記録されている情報を読み取って、その情報から必要な事項を連続的に供給される台紙にプリンターで印字するものであり、書留郵便物の配達先等の第１受取人データから配達証、原符等の第２受取人データを作製することはできない。
【００１１】
本発明はこのような点を考慮してなされたものであり、書留郵便物の表面に表示された第１受取人データに基づいて配達証等の第２受取人データをラベルに印字するとともに、このラベルを書留郵便物の裏面貼付することができるプリンティングラベラ装置を提供することを目的とする。
【００１２】
【課題を解決するための手段】
本発明は、  搬送コンベアと、表面に予め受取人住所氏名からなる第１受取人データおよび第１バーコードデータが表示された郵便物を搬送コンベアへ供給する封筒供給装置と、搬送コンベア上の郵便物表面に設けられた第１受取人データおよび第１バーコードデータを各々読み取るイメージ入力装置および第１バーコードリーダと、ラベルを供給するラベル供給装置と、郵便物配達証を含む第２受取人データおよび第２バーコードデータをラベルに印字する印字装置と、第１バーコードリーダからの情報により予め内蔵された受取人データベースを検索して得られた受取人検索データ、あるいは受取人検索データがない場合はイメージ入力装置からの情報に基づいて、印字装置を駆動して第２受取人データおよび第２バーコードデータをラベルに印字する制御装置と、印字装置によって印字されたラベルを搬送コンベア上の郵便物の裏面に貼付するラベル貼付装置と、ラベル貼付装置の下流側に設けられ、ラベルの第２バーコードデータを読み取る第２バーコードリーダとを備え、第１バーコードリーダからの第１バーコードデータと第２バーコードリーダからの第２バーコードデータが制御装置によりマッチングされ、制御装置はマッチングの結果、間違いがなければ搬送コンベア上の郵便物を搬出集積装置上に導き、間違いがあれば搬送コンベア上の郵便物をリジェクトスタッカに排出することを特徴とするプリンティングラベル装置である。
【００１３】
本発明によれば、書面の第１受取人データおよび第１バーコードデータがイメージ入力装置および第１バーコードリーダとによって読み取られる。イメージ入力装置からの情報、または第１バーコードリーダからの情報により予め内蔵された受取人データベースを検索して備えられた受取人検索データのうち、いずれか一方に基づいて、印字装置により第２受取人データおよび第２バーコードデータがラベルに印字される。このラベルはラベル貼付装置により、書面の裏面に貼付けられる。第１バーコードリーダからの第１バーコードデータと第２バーコードリーダからの第２バーコードデータがマッチング装置によりマッチングされる。
【００１４】
【発明の実施の形態】
以下、図面を参照して本発明の実施の形態について説明する。図１乃至図６は本発明によるイメージプリンティングラベラ装置を示す図である。
【００１５】
図１において、プリンティングラベラ装置は、書留または配達記録封筒（以下、書留封筒）１ａ（図２参照）を搬送する搬送コンベア３を備え、この搬送コンベア３へは書留封筒１ａが表面を上にして積まれた封筒供給装置１から、書留封筒１ａが最底部より一枚ずつ引き出されて供給される。また書留封筒１ａには予め表面に窓４０を介して受取人住所氏名（送付先）等の第１受取人データ３１（図２参照）が表示されるとともに第１バーコード３２が表示されている。
【００１６】
また図１に示すように、搬送コンベア３上の封筒供給装置１の下流側には、書類封筒１ａの表面に設けられた第１バーコードデータ３２を読み取る第１バーコードリーダ６と、第１受取人データ３１を読み取るＣＣＤカメラ等のイメージ入力装置１５とが順次設けられている。
【００１７】
また搬送コンベア３の下方には、ラベル供給装置８が設けられ、このラベル供給装置８からは連続ラベル３５（配達証及び同原符の受取人個別データが未印字のもの）が供給される。この連続ラベル３５は書留郵便物配達証及び同原符からなる第２受取人データ３３ａと、第２バーコードデータ３３ｂとを印字してなるラベル３３を作製するためのものである（図３参照）。
【００１８】
またラベル供給装置８から送られる連続ラベル３５は、ラベル検出センサ９によりタイミングが図られた後、印字装置１０まで達し、この印字装置１０により必要な印刷が施される。このようにして印字装置１０において、連続ラベル３５に第２受取人データ３３ａと第２バーコードデータ３３ｂとが印字されてラベル３３が作成される。さらに印字装置１０の近傍には、書留封筒１ａの下面にラベル３３を貼付けるラベル貼付装置１１が設けられている。
【００１９】
他方、イメージ入力装置１５および第１バーコードリーダ６には、制御装置１６が接続されている。この制御装置１６は、イメージ入力装置１５からの情報、または第１バーコードリーダ６からの情報により予め内蔵された受取人のデータベースを検索して得られた受取人検索データのうちいずれか一方に基づいて、印字装置１０を駆動制御するものである。
【００２０】
すなわち制御装置１６内には受取人データベースが内蔵されており、第１バーコードリーダ６からの情報が制御装置１６内に入力されると、第１バーコードリーダ６からの情報に基づいて受取人データベースから受取人検索データが得られる。
【００２１】
他方、受取人住所氏名等の第１受取人データ３１が画像としてイメージ入力装置１５で読み取られると、入力されたイメージデータが制御装置１６に送られる。この制御装置１６においてイメージデータが２値化処理されるとともに、受取人住所氏名以外の部分、例えばクレジットカードの番号や顧客コード番号は取り除かれるように画像処理されるか、またはイメージ入力装置１５で予め読み取る範囲を設定し、受取人住所氏名のみが読み取られるようにしてもよい。
【００２２】
次に第１バーコードリーダ６からの情報によって得られた受取人検索データまたはイメージ入力装置１５からの情報のうち、いずれか一方が制御装置１６から印字装置１０に送信され、この印字装置１０において連続ラベル３５に対して第２受取人データ３３ａと第２バーコードデータ３３ｂの印刷がなされる。印刷は、公知の方法、例えば感熱発色印刷、感熱転写印刷、ウォータージェット等による印字が可能であり、それぞれの印刷方式に応じたラベル及び印字装置の設計が必要である。
【００２３】
また図１に示すように、搬送コンベア３のラベル貼付装置１１下流側には、第２バーコードリーダ７が設けられている。第２バーコードリーダ７は、ラベル３３上の第２バーコードデータ３３ａを読み取り、読み取った情報を制御装置１６に送るようになっている。
【００２４】
また制御装置１６において、第１バーコードリーダ６からの情報と第２バーコードリーダ７からの情報がマッチングされ、間違いがなければ、ラベル３３の貼付された書留封筒１ａは、排出コンベア２７上を進行して、排出コンベア２７下部に設けられた搬出集積装置１３上に集積される。
【００２５】
制御装置１６におけるデータマッチングにより間違いがあれば、当該書留封筒１ａはリジェクト機能が働いて、搬送コンベア３の脇または下方に設けられたリジェクトスタッカ（図示せず）内に排出される。
【００２６】
また制御装置１６には、イメージ入力装置１５により得られた第１受取人データ３１と第１バーコードリーダ６により得られた第１バーコードデータ３２の情報により予め内蔵された受取人のデータベースを検索して得られた受取人検索データのうち、いずれか一方に基づいて受領証を作成する受領証作成装置３６が接続されている。この受領証作成装置３６は受領証、例えば図５に示す書留郵便物受領証および図６に示す配達記録郵便受領証を作成するものである。
【００２７】
次にこのような構成からなる本実施例の作用について図１および図４により説明する。ここで図４は、本発明のイメージプリンティングラベラ装置における情報処理の系統をあらわしたものである。まず封筒供給装置１から、予め表面に第１受取人データ３１および第１バーコードデータ３２が表示された書留封筒１ａが搬送コンベア３上へ供給される（図４（Ａ））。
【００２８】
次に書留封筒１４は搬送コンベア３によって搬送され（図４（Ｂ））、その後書留封筒１ａの表面に設けられた第１受取人データ３１および第１バーコードデータ３２は、各々イメージ入力装置１５および第１バーコードリーダ６により読み取られる（図４（Ｃ））。
【００２９】
次に第１バーコードデータ３２を読み取った第１バーコードリーダ６からの構成が制御装置１６内に入力されると、第１バーコードリーダ６からの情報に基づいて予め内蔵されている受取人データベースを検索することにより受取人検索データが求められる。
【００３０】
また第１受取人データ３１を読み取ったイメージ入力装置１６からの情報が制御装置１６内に入力されると、この情報が二値化処理される。
【００３１】
次に制御装置１６は、まず受取人検索データを提供して印字装置１０へ送信し、この印字装置１０において、受取人検索データに基づいて第２受取人データ３３ａおよび第２バーコードデータ３３ｂが連続ラベル３５に印字される。
【００３２】
また例えば制御装置１６内に受取人データベースが内蔵されていない場合等、制御装置１６内で受取人検索データを求めることができない場合には、受取人検索データの代わりにイメージ入力装置１６からの情報を二値化処理して得られた情報が印字装置１０へ送信される。そしてこの印字装置１０において、イメージ入力装置１６からの情報に基づいて、第２受取人データ３３ａおよび第２バーコードデータ３３ｂが連続ラベル３５に印字される。
【００３３】
次に、第２受取人データ３３ａおよび第２バーコードデータ３３ｂを有するラベル３３が、連続ラベル３５から剥離されるとともに、このラベル３３が書留封筒１ａの裏面にラベル貼付装置１１により貼付けられる（図４（Ｄ））。
【００３４】
次に書留封筒１ａ裏面のラベル３３に印字された第２バーコードデータ３３ｂが第２バーコードリーダ７によって読み取られ、制御装置１６へ送られる（図４（Ｅ））。その後、制御装置１６において、第１バーコードデータ３２を読み取った第１バーコードリーダ６からの情報と、第２バーコードデータ３３ｂを読み取った第２バーコードリーダ７からの情報が制御装置１６のマッチング回路（比較回路）によってマッチングされる。マッチングが正しくなされた書留封筒１ａは、処理済として排出コンベア２７から排出集積装置１３に蓄積される。マッチングが正しくなされない書留封筒１ａは、リジェクトスタッカにより排出される。
【００３５】
この間、制御装置１６からイメージ入力装置１５により得られた第１受取人データ３１および第１バーコードデータ３２により得られた受取人検索データの各情報が受領証作成装置３６に送られ、この受領証作成装置３６において書留郵便物受領証（図５）および配達記録郵便物受領証（図６）が作成される。これらの書留郵便物受領証および配達記録郵便物受領証は、書留及び配達記録封筒１ａを郵便局に差し出す際添付するものである。また図５に示す書留郵便物受領証は第１受取人データ３１と第１バーコードデータ３２をひもつけるものであり、差出人の管理資料ともなりうる。
【００３６】
なお、上記実施の形態において、制御装置１６から受取人検索データがイメージ入力装置１６からの第１受取人データ３１より優先して印字装置１０へ送信される例を示したが、これに限らずイメージ入力装置１６からの第１受取人データ３１を二値化処理して得られた情報を優先して印字装置１０へ送信してもよい。
【００３７】
【発明の効果】
以上のように本発明によれば、第１受取人データおよび第１バーコードデータをイメージ入力装置および第１バーコードリーダで読み取るとともに、イメージ入力装置からの情報、または第１バーコードリーダからの情報により予め内蔵された受取人データベースを検索して得られた受取人検索データのうち、いずれか一方に基づいて、印字装置により第２受取人データおよび第２バーコードデータをラベルに印字して、このラベルをラベル貼付装置により書面の裏面に貼付けることができる。このようにイメージ入力装置からの情報、または第１バーコードリーダからの情報により得られた受取人検索データのうち、いずれか一方に基づいて第２受取人バーコードデータおよび第２バーコードデータをラベルに印字するので、例えば受取人データベースがない場合はイメージ入力装置からの情報のみに基づいてラベルを印字することができる。また受取人データベースを有する場合は、イメージ入力装置からの情報と第１バーコードリーダからの情報を組合せて、正確かつ確実にラベルを印字することができる。
【図面の簡単な説明】
【図１】本発明によるプリンティングラベラ装置を示す側面図。
【図２】書留封筒の表面を示す図。
【図３】書留封筒の裏面を示す図。
【図４】本発明の作用を示す図。
【図５】書留郵便物受領証を示す図。
【図６】配達記録郵便受領証を示す図。
【符号の説明】
１  封筒供給装置
１ａ  書留封筒
３  搬送コンベア
６  第１バーコードリーダ
７  第２バーコードリーダ
８  ラベル供給装置
１０  印字装置
１１  ラベル貼付装置
１３  搬出集積装置
１５  イメージ入力装置
１６  制御装置
３１  第１受取人データ
３２  第１バーコード
３３  ラベル
３３ａ  第２受取人データ
３３ｂ  第２バーコード
３５  連続ラベル
【図１】
0003924023.tif 000002
【図２】
0003924023.tif 000003
【図３】
0003924023.tif 000004
【図４】
0003924023.tif 000005
【図５】
0003924023.tif 000006
【図６】
0003924023.tif 000007